(57)【要約】【課題】端末装置が備えるストラップを係止する支柱部が破損したときに、早期にストラップを使用可能な状態に端末装置を復帰させることを課題とする。【解決手段】端末装置は、中心軸線に対して左右対称に配置され、それぞれストラップを係止することができる第１の支柱部と第２の支柱部とを備えている支柱部品と、少なくとも矩形の枠状部の第１の壁部の一端部で前記第１の壁部と連続する第２の壁部と、前記第１の壁部の他端部で前記第１の壁部と連続する第３の壁部とにそれぞれ前記ストラップを通過させる開口部を備えている筐体と、を備え、前記第１の壁部と前記第２の壁部とによって形成されている第１の角部と、前記第１の壁部と前記第３の壁部とによって形成されている第２の角部とに、それぞれ前記支柱部品が装着され、前記開口部から前記第１の支柱部と前記第２の支柱部のいずれかが露出している。【選択図】図１０
2018033038.tif 000002
【特許請求の範囲】
【請求項１】
中心軸線に対して左右対称に配置され、それぞれストラップを係止することができる第１の支柱部と第２の支柱部とを備えている支柱部品と、
少なくとも矩形の枠状部の第１の壁部の一端部で前記第１の壁部と連続する第２の壁部と、前記第１の壁部の他端部で前記第１の壁部と連続する第３の壁部とにそれぞれ前記ストラップを通過させる開口部を備えている筐体と、を備え、
前記第１の壁部と前記第２の壁部とによって形成されている第１の角部と、前記第１の壁部と前記第３の壁部とによって形成されている第２の角部とに、それぞれ前記支柱部品が装着され、それぞれの前記開口部から前記第１の支柱部と前記第２の支柱部のいずれかが露出している端末装置。
【請求項２】
前記第１の壁部は、前記筐体の上側に配置され、前記開口部は、少なくとも前記第２の壁部の上端部と前記第３の壁部の上端部とに設けられている請求項１に記載の端末装置。
【請求項３】
前記開口部に補助支柱が設けられている請求項１又は２に記載の端末装置。
【請求項４】
前記支柱部品は、滑り止め部を備える請求項１乃至３のいずれか一項に記載の端末装置。
【請求項５】
前記支柱部品は、前記矩形の枠状部を備えている前記筐体の４つの角部にそれぞれ装着されている請求項１乃至４のいずれか一項に記載の端末装置。
【請求項６】
中心軸線に対して左右対称に配置され、それぞれストラップを係止することができる第１の支柱部と第２の支柱部とを備えている支柱部品と、
少なくとも矩形の枠状部の一辺を形成している壁部の一端部及び他端部にそれぞれ前記ストラップを通過させる開口部を備えている筐体と、を備え、
前記壁部の一端部が含まれている第１の角部と、前記壁部の他端部が含まれている第２の角部とに、それぞれ前記支柱部品が装着され、前記一端部に設けられている前記開口部から前記第１の支柱部が露出しているとともに、前記他端部に設けられている前記開口部から前記第２の支柱部が露出している端末装置。
【請求項７】
中心軸線に対して左右対称に配置され、それぞれストラップを係止することができる第１の支柱部と第２の支柱部とを備えている支柱部品。
【発明の詳細な説明】
【技術分野】
【０００１】
本明細書開示の発明は、端末装置及び支柱部品に関する。
【背景技術】
【０００２】
昨今、スマートフォン、タブレットＰＣ（Personal Computer）やゲーム機等の端末装置において、自身が備える筐体にストラップの係止部を備えるものがある（例えば、特許文献１参照）。このような係止部は、種々の原因により、破損する可能性がある。係止部が破損すると、その係止部が設けられている筐体自体を交換しなければならないため、このような事態を回避することができる提案もされている。このような提案として、例えば、ストラップ取付部を備えた部材を交換できるようにした技術が知られている（例えば、特許文献２参照）。
【先行技術文献】
【特許文献】
【０００３】
【特許文献１】特開２０１０−１０９１５０号公報
【特許文献２】特開２０１３−６５６７９号公報
【発明の概要】
【発明が解決しようとする課題】
【０００４】
例えば、特許文献２であれば、ストラップ取付部を備えた部材を交換すれば、ストラップを装着できるようになる。しかしながら、交換するための新たな部材が入手されるまでは、ストラップの装着はできない。
【０００５】
１つの側面では、本明細書開示の端末装置及び支柱部品は、端末装置が備えるストラップを係止する支柱部が破損したときに、早期にストラップを使用可能な状態に端末装置を復帰させることを課題とする。
【課題を解決するための手段】
【０００６】
本明細書開示の端末装置は、中心軸線に対して左右対称に配置され、それぞれストラップを係止することができる第１の支柱部と第２の支柱部とを備えている支柱部品と、少なくとも矩形の枠状部の第１の壁部の一端部で前記第１の壁部と連続する第２の壁部と、前記第１の壁部の他端部で前記第１の壁部と連続する第３の壁部とにそれぞれ前記ストラップを通過させる開口部を備えている筐体と、を備え、前記第１の壁部と前記第２の壁部とによって形成されている第１の角部と、前記第１の壁部と前記第３の壁部とによって形成されている第２の角部とに、それぞれ前記支柱部品が装着され、それぞれの前記開口部から前記第１の支柱部と前記第２の支柱部のいずれかが露出している。
【０００７】
本明細書開示の他の端末装置は、中心軸線に対して左右対称に配置され、それぞれストラップを係止することができる第１の支柱部と第２の支柱部とを備えている支柱部品と、少なくとも矩形の枠状部の一辺を形成している壁部の一端部及び他端部にそれぞれ前記ストラップを通過させる開口部を備えている筐体と、を備え、前記壁部の一端部が含まれている第１の角部と、前記壁部の他端部が含まれている第２の角部とに、それぞれ前記支柱部品が装着され、前記一端部に設けられている前記開口部から前記第１の支柱部が露出しているとともに、前記他端部に設けられている前記開口部から前記第２の支柱部が露出している。
【０００８】
本明細書開示の支柱部品は、中心軸線に対して左右対称に配置され、それぞれストラップを係止することができる第１の支柱部と第２の支柱部とを備えている。
【発明の効果】
【０００９】
本明細書開示の端末装置及び支柱部品によれば、端末装置が備えるストラップを係止する支柱部が破損したときに、早期にストラップを使用可能な状態に端末装置を復帰させることができる。
【図面の簡単な説明】
【００１０】
【図１】図１（Ａ）及び図１（Ｂ）は第１実施形態の端末装置の斜視図である。
【図２】図２は分解した状態の第１実施形態の端末装置の第１の角部を示す説明図である。
【図３】図３はストラップを装着する様子を示す説明図である。
【図４】図４（Ａ）〜図４（Ｃ）は第１実施形態のフロントカバーの第２の角部の３面図である。
【図５】図５（Ａ）〜図５（Ｄ）は第１実施形態の支柱部品が装着されるミドルカバーの第２の角部の４面図である。
【図６】図６は第１実施形態の支柱部品を下面側から見た斜視図である。
【図７】図７は第１実施形態の支柱部品を上面側から見た斜視図である。
【図８】図８（Ａ）〜図８（Ｃ）は第１実施形態の支柱部品の３面図である。
【図９】図９（Ａ）〜図９（Ｄ）は第１実施形態の支柱部品が装着されたミドルカバーの第２の角部の４面図である。
【図１０】図１０（Ａ）及び図１０（Ｂ）は支柱部品を入れ替える様子を示す説明図である。
【図１１】図１１は４つの角部に配した支柱部品を入れ替える様子を示す説明図である。
【図１２】図１２は、支柱部品をスライドさせて装着する様子を模式的に示す説明図である。
【図１３】図１３（Ａ）及び図１３（Ｂ）は第２実施形態における開口部の配置を模式的に示す説明図である。
【発明を実施するための形態】
【００１１】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１２】
（第１実施形態）
まず、図１（Ａ）〜図９（Ｄ）を参照して、第１実施形態の端末装置１について説明する。図１（Ａ）及び図１（Ｂ）は第１実施形態の端末装置の斜視図である。図２は分解した状態の第１実施形態の端末装置の第１の角部を示す説明図である。図３はストラップを装着する様子を示す説明図である。図４（Ａ）〜図４（Ｃ）は第１実施形態のフロントカバーの第２の角部の３面図である。図５（Ａ）〜図５（Ｄ）は第１実施形態の支柱部品が装着されるミドルカバーの角部の４面図である。図６は第１実施形態の支柱部品を下面側から見た斜視図である。図７は第１実施形態の支柱部品を上面側から見た斜視図である。図８（Ａ）〜図８（Ｃ）は第１実施形態の支柱部品の３面図である。図９（Ａ）〜図９（Ｄ）は第１実施形態の支柱部品が装着されたミドルカバーの第２の角部の４面図である。なお、図４（Ａ）は平面図であり、図４（Ｂ）は側面図であり、図４（Ｃ）は上面図である。ここで、図４（Ｂ）に示す側面図には、右壁部１０３が表れており、図４（Ｃ）に示す上面図には、上壁部１０１が表れている。図５（Ａ）は平面図であり、図５（Ｂ）は側面図であり、図５（Ｃ）は上面図であり、図５（Ｄ）は底面図である。ここで、平面図に表れている面が後に説明するミドルカバー３０と対向する面であり、底面図に表れている面がフロントカバー１０と対向する面である。
【００１３】
本実施形態における端末装置１は、いわゆるタブレットＰＣであり、図３に示すようにストラップ６０を装着することができる。ストラップ６０には、端末装置１が備える画面に接触することで、端末装置１の各種操作を行うことができるタッチペンが装着されている。端末装置１は、ストラップ６０を装着することができるものであれば、スマートフォンやゲーム機等であってもよく、これらの場合にも、ストラップ６０は、タッチペンを装着することができる。
【００１４】
図１（Ａ）及び図１（Ｂ）を参照すると、端末装置１は、フロントカバー１０とリアカバー２０とを備えている。また、図２を参照すると、端末装置１は、ミドルカバー３０を備えている。フロントカバー１０は、周囲に枠状部１０ａを備えている。枠状部１０ａは、矩形であり、上壁部１０１、左壁部１０２、右壁部１０３及び下壁部１０４を備えている。ミドルカバー３０は、このような枠状部１０ａの内側に入れ子状に配置されている。フロントカバー１０とミドルカバー３０とが組み合わされることで、筐体５が形成されている。フロントカバー１０には、表示画面やタッチパネル等が組み込まれている。一方、ミドルカバー３０には、プリント基板や電池、その他のユニット等が搭載されている。なお、リアカバー２０は、ミドルカバー３０を覆う化粧板であり、図２では、省略されている。
【００１５】
本実施形態では、筐体５を形成するフロントカバー１０の上壁部１０１は、第１の壁部に相当する。左壁部１０２は、第２の壁部に相当する。右壁部１０３は第３の壁部に相当する。左壁部１０２は、上壁部１０１の一端部で上壁部１０１と連続している。左壁部１０２と上壁部１０１との連続部分は、第１の角部１５ａとなっている。右壁部１０３は、上壁部１０１の他端部で上壁部１０１と連続している。右壁部１０３と上壁部１０１との連続部は、第２の角部１５ｂとなっている。下壁部１０４と左壁部１０２との連続部分は、第３の角部１５ｃ、を形成し、下壁部１０４と右壁部１０３との連続部分は、第４の角部１５ｄを形成している。上壁部１０１、左壁部１０２、右壁部１０３及び下壁部１０４は、それぞれ枠状部の一辺を形成している壁部である。
【００１６】
本実施形態では、第２の壁部に相当する左壁部１０２に開口部１０ａ１が設けられている。開口部１０ａ１は、左壁部１０２の上端部に位置している。また、第３の壁部に相当する右壁部１０３に開口部１０ａ２が設けられている。開口部１０ａ２は、右壁部１０３の上端部に設けられている。開口部１０ａ１及び開口部１０ａ２はいずれもストラップ６０を通過させるために設けられている。このように、筐体５の左側に開口部１０ａ１を設け、筐体５の右側に開口部１０ａ２を設けているのは、ストラップ６０にタッチペンが装着された場合に、端末装置１の使用者が右利きであっても左利きであっても対応することができるようにしたものである。すなわち、開口部１０ａ１及び開口部１０ａ２は、タッチペンを使用しているときに、ストラップ６０がフロントカバー１０に組み込まれている表示画面上に掛からないように配慮されて設けられている。
【００１７】
開口部１０ａ１は、左壁部１０２において上端部、すなわち、第１の角部１５ａに近い位置に設けられている。開口部１０ａ２は、右壁部１０３において上端部、すなわち、第２の角部１５ｂに近い位置に設けられている。図３を参照すると、開口部１０ａ１には、補助支柱１０ａ１１が設けられている。補助支柱１０ａ１１は、後に説明する支柱部品４０が備える第２の支柱部４３とともに、ストラップ６０を装着する部分を形成する。開口部１０ａ１は、ストラップ６０を通過させることができればよく、補助支柱１０ａ１１を備えていない形態とすることもできるが、補助支柱１０ａ１１を備えることで、ストラップ６０を装着する部分の強度を向上させることができる。なお、図４（Ｂ）を参照すると、開口部１０ａ２にも同様の補助支柱１０ａ２１が設けられている。
【００１８】
図２を参照すると、フロントカバー１０の第１の角部１５ａに対応する位置には、ネジ穴１１が設けられている。同様に図４（Ａ）を参照すると、フロントカバー１０の第２の角部１５ｂに対応する位置にも、ネジ穴１１が設けられている。また、図示されていないが、フロントカバー１０の第３の角部１５ｃ及び第４の角部１５ｄに対応する位置にも、同様のネジ穴が設けられている。
【００１９】
再び図２を参照すると、ミドルカバー３０の第１の角部１５ａに対応する位置には、支柱部品装着部３１が設けられている。支持部品装着部３１は、周囲と段差をつけ、フロントカバー１０側へ凹ませることで設けられている。支柱部品装着部３１には、ネジ挿通穴３１ａが設けられている。また、二つの位置決め突部３１ｂが設けられている。二つの位置決め突部３１ｂは、ミドルカバー３０の中心点とネジ挿通穴３１ａを結んだ線分を中心線として左右対称に設けられている。さらに、支柱部品装着部３１には、二か所に係止溝部３１ｃが設けられている。この二つの係止溝部３１ｃも位置決め突部３１ｂと同様に左右対称に設けられている。支柱部品装着部３１は、さらに、二か所に支柱挿通部３２を備えている。この二つの支柱挿通部３２も位置決め突部３１ｂや係止溝部３１ｃと同様に左右対称に設けられている。図５（Ａ）〜図５（Ｄ）を参照すると、ミドルカバー３０の第２の角部１５ｂに対応する位置にも、同様の支柱部品装着部３１が設けられている。また、図示されていないが、ミドルカバー３０の第２の角部１５ｂ〜第４の角部１５ｄに対応する位置にも、同様の支柱部品装着部が設けられている。
【００２０】
端末装置１の第１の角部１５ａには、支柱部品４０が装着されている。具体的に、支柱部品装着部３１に設置された支柱部品４０がネジ５０により、ミドルカバー３０を介してフロントカバー１０に固定されている。第２の角部１５ｂ〜第４の角部１５ｄにも、それぞれ、同様に支柱部品４０が装着されている。
【００２１】
ここで、図６〜図８（Ｃ）を参照しつつ、支柱部品４０について説明する。支柱部品４０は、中心軸線ＡＸに対して左右対称に配置され、それぞれストラップ６０を係止することができる第１の支柱部４２と第２の支柱部４３とを備えている。中心軸線ＡＸは、筐体５に装着されたときに、筐体５の中心点と第１の角部１５ａ〜第４の角部１５ｄの各頂点とを結ぶ線分に一致する。支柱部品４０は、第１の角部１５ａ〜第４の角部１５ｄのそれぞれに装着される。第１の支柱部４２と第２の支柱部４３とが、中心軸線ＡＸに対して左右対称に設けられているのは、異なる角部に装着した場合であっても第１の支柱部４２と第２の支柱部４３とが同一の機能を発揮することができるようにするためである。なお、本実施形態では、支柱部品４０は、第１の角部１５ａ〜第４の角部１５ｄのそれぞれに装着されているが、少なくとも第１の角部１５ａと第２の角部１５ｂとに装着されていればよい。これにより、第１の角部１５ａに装着されている支柱部品４０と第２の角部１５ｂに装着されている支柱部品４０とを入れ替えて用いることができるようになる。
【００２２】
支柱部品４０は、装着される第１の角部１５ａ〜第４の角部１５ｄの形状合わせて屈曲している本体部４１を備えている。第１の支柱部４２と第２の支柱部４３は、それぞれ、本体部４１の端部に設けられている。本体部４１は、ポリカーボネート製である。本体部４１には、中心軸線ＡＸがその中心を通過するネジ挿通穴４１ａを備えている。また、その両側に、中心軸線ＡＸに対して左右対称となる位置に位置決め穴４１ｂを備えている。さらに、本体部４１には、中心軸線ＡＸに対して左右対称となる位置に係止爪部４５を備えている。
【００２３】
支柱部品４０は、本体部４１と二色成型された滑り止め部４４を備えている。滑り止め部４４はエラストマによって成型されている。滑り止め部４４は、端末装置１を、例えば、机上に載置して使用する場合に、端末装置１の滑りを抑制することができる。
【００２４】
このような支柱部品４０は、図９（Ａ）〜図９（Ｄ）に示すようにミドルカバー３０に搭載される。このとき、位置決め穴４１ｂには、支柱部品装着部３１に設けられている位置決め突部３１ｂが係合している。また、支柱部品装着部３１に設けられている係止溝部３１ｃに、係止爪部４５が係止されている。これにより、支柱部品４０は、ミドルカバー３０に仮固定された状態となる。このとき、第１の支柱部４２と第２の支柱部４３とは、それぞれ、支柱挿通部３２に位置している。そして、ネジ５０によって、ミドルカバー３０及びフロントカバー１０に固定される。図９（Ａ）〜図９（Ｄ）では、第２の角部１５ｂについて示しているが、第１の角部１５ａについても同様である。
【００２５】
図９（Ａ）〜図９（Ｄ）では、省略されているが、ミドルカバー３０には、フロントカバー１０が組み合わされる。ここで、図２や図１０（Ａ）を参照すると、第１の角部１５ａに装着された支柱部品４０の第２の支柱部４３は、左壁部１０２に設けられている開口部１０ａ１から露出する。また、図１０（Ａ）を参照すると、第２の角部１５ｂに装着された支柱部品４０の第１の支柱部４２は、右壁部１０３に設けられている開口部１０ａ２から露出する。このようにして筐体５の左右にそれぞれストラップ６０を装着することができるようになる。
【００２６】
すなわち、第１の角部１５ａにあっては、第２の支柱部４３がストラップ６０の装着に供され、第２の角部１５ｂにあっては、第１の支柱部４２がストラップ６０の装着に供される。
【００２７】
ここで、図１０（Ａ）及び図１０（Ｂ）を参照して、支柱部品４０の入れ替えについて説明する。なお、以下の説明では、説明を分かりやすくするために、２つの支柱部品４０に、それぞれ４０−Ａ、４０−Ｂの参照番号を付して説明することとする。まず、図１０（Ａ）に示すように、第１の角部１５ａに支柱部品４０−Ａを装着し、第２の角部１５ｂに支柱部品４０−Ｂを装着しておく。この状態で、端末装置１の使用者は、自身の利き腕で使用しやすいように、支柱部品４０−Ａ側にストラップ６０を装着したと仮定する。ストラップ６０には、タッチペンが装着されている。この場合、ストラップ６０は支柱部品４０−Ａの第２の支柱部４３にストラップ６０が装着されている。第２の支柱部４３は、その使用状況により破損してしまうことがある。特に、端末装置１に重量があり、机上で端末装置１が動きづらい状態でストラップ６０を不用意に引っ張ると、第２の支柱部４３が折れてしまうことが想定される。このように、第１の角部１５ａに装着されている支柱部品４０−Ａが使用されている場合、通常、第２の角部１５ｂに装着されている支柱部品４０−Ｂには、ストラップ６０が装着されることはない。特に、支柱部品４０−Ｂの第２の支柱部４３は、筐体５から露出しておらず、ストラップ６０が装着されることがない。このため、それまでに支柱部品４０−Ａと支柱部品４０−Ｂとの入れ替えが行われていなければ、支柱部品４０−Ｂの第２の支柱部４３は破損していない。
【００２８】
そこで、図１０（Ｂ）に示すように、支柱部品４０−Ａと支柱部品４０−Ｂとを入れ替える。これにより、第１の角部１５ａにおいて、破損していない第２の支柱部４３を開口部１０ａ１から露出させることができる。開口部１０ａ１から露出している第２の支柱部４３には、再度ストラップ６０を装着することができる。このように、支柱部品４０−Ａと支柱部品４０−Ｂとを入れ替えることで、端末装置１を早期にストラップ６０を使用可能な状態に復帰させることができる。すなわち、端末装置１は、いわば、予備の部品を予め備えた状態としているので、新たに部品を発注することなく、ストラップ６０を使用可能な状態とすることができる。
【００２９】
また、図１０（Ａ）に示す状態で第２の角部１５ｂに装着されている支柱部品４０−Ｂの第１の支柱部４２が破損した場合であっても、支柱部品４０−Ａと支柱部品４０−Ｂとを入れ替えれば、再度、第１の支柱部４２を使用できる。
【００３０】
本実施形態の端末装置１は、矩形の枠状部１０ａを備えている筐体５の４つの角部、すなわち第１の角部１５ａ〜第４の角部１５ｄのそれぞれに支柱部品４０−Ａ〜支柱部品４０−Ｄを備えている。このため、第１の角部１５ａに装着される支柱部品４０を３回交換することができる。このため、新規に支柱部品４０を発注することなく、長期に亘って、ストラップ６０を使用可能な状態とすることができる。
【００３１】
なお、本実施形態の端末装置１は、筐体５の下壁部１０４にキーボード等の接続を行うことができるドッキングステーションを備えている。図１２を参照すると、下壁部１０４には、ドッキングステーションを形成する板材７０が配置されている。板材７０は、支柱部品装着部３１１を覆っている。このため、支柱部品４０を支柱部品装着部３１１に設置しづらい。そこで、下壁部１０４に設けられている支柱部品装着部３１１には、支柱部品装着部３１に設けられている位置決め突部３１ｂよりも低く、半球形状である位置決め突部３１１ｂを備えている。このような位置決め突部３１１ｂを備えることで、支柱部品４０を、板材７０の下側に滑り込ませ、支柱部品４０を支柱部品装着部３１１に仮固定の状態とすることができる。
【００３２】
（第２実施形態）
つぎに、第２実施形態について図１３（Ａ）及び図１３（Ｂ）を参照しつつ説明する。第１施形態の端末装置１では、左壁部１０２の上端部に開口部１０ａ１を備えるとともに、右壁部１０３の上端部に開口部１０ａ２を備えていたが、左壁部１０２の下端部と右壁部１０３の下端部とに開口部を設けるようにしてもよい。すなわち、開口部の位置は、同一形状の支柱部品４０を入れ替えることで支柱部を使用可能に復帰させることができる関係となる位置に設けることができる。このように、開口部は、支柱部品４０を入れ替えて使用することができる位置に設けることができる。
【００３３】
そこで、第２実施形態では、少なくとも矩形の枠状部の一辺を形成している壁部の一端部及び他端部にそれぞれストラップ６０を通過させる開口部１０ａ１１１、１０ａ２１１を備えている筐体５１を備える。そして、その壁部の一端部が含まれている第１の角部２５ａと、その壁部の他端部が含まれている第２の角部２５ｂとに、それぞれ支柱部品４０−Ａ、支柱部品４０−Ｂが装着されている。具体的に、筐体５１は、上壁部１０１１、左壁部１０２１、右壁部１０３１及び下壁部１０４１を備える。そして、上壁部１０１１の一端部に開口部１０ａ１１１が備えられ、上壁部１０１１の他端部に開口部１０ａ２１１が備えられている。開口部１０ａ１１１からは、支柱部品４０−Ａが備える第１の支柱部が露出し、開口部１０ａ２１１からは、支柱部品４０−Ｂが備える第２の支柱部が露出する。このような組み合わせであっても、支柱部品４０−Ａと支柱部品４０−Ｂとを入れ替えることで、破損した支柱部を使用可能な状態に復帰させることができる。
【００３４】
なお、第２実施形態においても各角部に支柱部品４０−Ａ〜支柱部品４０−Ｄを配置することで、複数回の支柱部品４０の交換を行うことができる。また、本実施形態の開口部１０ａ１１１、１０ａ２１１は、いずれも補助支柱を備えていないが、第１実施形態と同様に補助支柱を備えるようにしてもよい。
【００３５】
また、開口部１０ａ１１１、１０ａ２１１は下壁部１０４１の一端側と他端側とに設けるようにしてもよい。
【００３６】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００３７】
１  端末装置
５  筐体
１０  フロントカバー
１０ａ  枠状部
１０ａ１、１０ａ２  開口部
１０ａ１１  補助支柱
１５ａ  第１の角部
１５ｂ  第２の角部
１５ｃ  第３の角部
１５ｄ  第４の角部
２０  リアカバー
３０  ミドルカバー
３１  支柱部品装着部
３２  支柱挿通部
４０  支柱部品
４１  本体部
４１ａ  ネジ挿通穴
４１ｂ  位置決め穴
４２  第１の支柱部
４３  第２の支柱部
４４  滑り止め部
６０  ストラップ
【図１】
2018033038.tif 000003
【図２】
2018033038.tif 000004
【図３】
2018033038.tif 000005
【図４】
2018033038.tif 000006
【図５】
2018033038.tif 000007
【図６】
2018033038.tif 000008
【図７】
2018033038.tif 000009
【図８】
2018033038.tif 000010
【図９】
2018033038.tif 000011
【図１０】
2018033038.tif 000012
【図１１】
2018033038.tif 000013
【図１２】
2018033038.tif 000014
【図１３】
2018033038.tif 000015